【手続補正書】
【提出日】平成20年1月7日(2008.1.7)
【手続補正１】
【補正対象書類名】特許請求の範囲
【補正対象項目名】全文
【補正方法】変更
【補正の内容】
【特許請求の範囲】
【請求項１】
第一のジェロータと、
第二のジェロータと、
前記第一のジェロータの回転と前記第二のジェロータの回転とを同期させるように構成された同期システムと、を有し、
前記同期システムは、
前記第一のジェロータに連結されたカム板と、
前記第二のジェロータに連結された位置合わせ板と、を有し、
前記カム板は、複数のカムを有し、
前記位置合わせ板は、少なくとも１つの位置合わせ部材を有し、
前記複数のカムと前記少なくとも１つの位置合わせ部材とは、相互作用して、前記第一のジェロータの回転と前記第二のジェロータの回転とを同期させる、ジェロータ装置。
【請求項２】
請求項１記載のジェロータ装置であって、
前記第一のジェロータは、外側ジェロータであり、
前記第二のジェロータは、少なくとも部分的に前記第一のジェロータ内に配置された内側ジェロータである、ことを特徴とするジェロータ装置。
【請求項３】
請求項１記載のジェロータ装置であって、
前記第二のジェロータは、外側ジェロータであり、
前記第一のジェロータは、少なくとも部分的に前記第二のジェロータ内に配置された内側ジェロータである、ことを特徴とするジェロータ装置。
【請求項４】
請求項１記載のジェロータ装置であって、
圧縮機を有する、ことを特徴とするジェロータ装置。
【請求項５】
請求項１記載のジェロータ装置であって、
膨張機を有する、ことを特徴とするジェロータ装置。
【請求項６】
請求項１記載のジェロータ装置であって、
前記第一のジェロータは、第一の軸まわりに回転するように構成され、
前記第二のジェロータは、前記第一の軸からオフセットされた第二の軸まわりに回転するように構成され、
前記同期システムは、同期システム・ハウジング内に収容され、
前記同期システム・ハウジングは、前記第一の軸まわりにも、前記第二の軸まわりにも回転しないように構成される、ことを特徴とするジェロータ装置。
【請求項７】
請求項１記載のジェロータ装置であって、
前記同期システムを収容するように構成された同期システム・ハウジングを更に有し、
前記同期システム・ハウジングは、該同期システム・ハウジング内の潤滑剤が該同期システム・ハウジングから流出するのを制限するように構成される、ことを特徴とするジェロータ装置。
【請求項８】
請求項１記載のジェロータ装置であって、
前記位置合わせ板は、前記複数のカムと相互作用するように構成された複数の位置決め用杭を有する、ことを特徴とするジェロータ装置。
【請求項９】
請求項１記載のジェロータ装置であって、
前記カム板が有する前記カムの数と、前記位置合わせ板が有する前記位置合わせ部材の数とが異なる、ことを特徴とするジェロータ装置。
【請求項１０】
請求項１記載のジェロータ装置であって、
前記複数のカムの各々の形状が「犬の骨」状である、ことを特徴とするジェロータ装置。
【請求項１１】
請求項１記載のジェロータ装置であって、
前記複数のカムの各々は、前記位置合わせ板が回転するときに前記少なくとも１つの位置合わせ部材が辿る経路の形状に対応した形状を持つ面を少なくとも一面有する、ことを特徴とするジェロータ装置。
【請求項１２】
請求項１記載のジェロータ装置であって、
前記第一のジェロータと前記第二のジェロータとの間に設けられた、１以上の流路と、
前記第一のジェロータが固定されたシャフトと、
前記同期システムが前記１以上の流路から隔離されるように、前記第二のジェロータと前記シャフトとの間をシーリングする栓と、を更に有することを特徴とするジェロータ装置。
【請求項１３】
請求項１２記載のジェロータ装置であって、
前記栓は、前記同期システムに関連する潤滑剤が前記１以上の流路に入るのを制限するように構成される、ことを特徴とするジェロータ装置。
【請求項１４】
請求項１記載のジェロータ装置であって、
前記第一のジェロータと前記第二のジェロータとの間に設けられた、１以上の流路と、
前記第二のジェロータの一端に連結されたダム部と、を更に有し、
前記ダム部は、前記同期システムに関連する潤滑剤が前記１以上の流路に入るのを制限するように構成される、ことを特徴とするジェロータ装置。
【請求項１５】
請求項１記載のジェロータ装置であって、
第一の軸を持つ第一のシャフトと、
前記第一のシャフトに固定され、前記第一の軸からオフセットされた第二の軸を持つ、第二のシャフトと、を更に有し、
前記第一のジェロータは、前記第一のシャフトに回転可能に連結され、
前記第二のジェロータは、前記第二のシャフトに回転可能に連結される、ことを特徴とするジェロータ装置。
【請求項１６】
請求項１５記載のジェロータ装置であって、
前記第一のジェロータと前記第二のジェロータとの間に設けられた、１以上の流路と、
前記位置合わせ板を前記第一のジェロータへ連結させる、中空状のシャフトと、
前記第二のジェロータが前記第二の軸まわりに回転したときに、前記同期システムが前記１以上の流路から隔離されるように、前記第二のジェロータと前記中空状のシャフトとの間をシーリングする栓と、を更に有することを特徴とするジェロータ装置。
【請求項１７】
外側ジェロータと、
内側ジェロータと、
少なくとも部分的に前記内側ジェロータ内に配置された同期システム・ハウジングと、
前記同期システム・ハウジング内に配置された同期システムと、を有し、
前記外側ジェロータは、
外側ジェロータ・チャンバを形成し、
第一の軸まわりに回転するように構成され、
前記内側ジェロータは、
少なくとも部分的に前記外側ジェロータ・チャンバ内に配置され、
前記第一の軸からオフセットされた第二の軸まわりに回転するように構成され、
前記同期システム・ハウジングは、前記第一の軸まわりにも、前記第二の軸まわりにも回転しないように構成され、
前記同期システムは、前記外側ジェロータの回転を前記内側ジェロータの回転と同期させるように構成される、ジェロータ装置。
【請求項１８】
第一の軸まわりに回転するように構成された外側ジェロータと、
少なくとも部分的に前記外側ジェロータ内に配置され、前記第一の軸からオフセットされた第二の軸まわりに回転するように構成された、内側ジェロータと、を有し、
前記内側ジェロータは、
潤滑剤流路と、
前記内側ジェロータの外面に形成された潤滑剤流路口と、を有し、
前記潤滑剤流路は、前記内側ジェロータが前記外側ジェロータに対して回転している間、流体潤滑剤を前記潤滑剤流路口を通じて流し、前記内側ジェロータの前記外面と前記外側ジェロータの内面との間を潤滑するように構成される、ジェロータ装置。
【請求項１９】
第一の正面と、
前記第一の正面に対向する第二の正面と、
少なくとも部分的に外側ジェロータ・チャンバを形成する外側ジェロータと、
少なくとも部分的に前記外側ジェロータ・チャンバ内に配置される内側ジェロータと、
前記第一の正面に形成され、流体を前記外側ジェロータ・チャンバに入れる、流体取込ポートと、
前記第二の正面に形成され、流体を前記外側ジェロータ・チャンバから出す、流体排出ポートと、を有する、ジェロータ装置。
【請求項２０】
第一の部分と第二の部分とを有する真空チャンバと、
前記真空チャンバの前記第一の部分と前記第二の部分との間に配置されたジェロータと、を有し、
前記ジェロータは、
前記真空チャンバの前記第一の部分とのインターフェースとなる第一の正面と、
前記第一の正面に対向し、前記真空チャンバの前記第二の部分とのインターフェースとなる第二の正面と、
少なくとも部分的に外側ジェロータ・チャンバを形成する外側ジェロータと、
少なくとも部分的に前記外側ジェロータ・チャンバ内に配置された内側ジェロータと、
前記第一の正面に形成され、流体を前記外側ジェロータ・チャンバに入れる、流体取込ポートと、
前記第二の正面に形成され、流体を前記外側ジェロータ・チャンバから出す、流体排出ポートと、を有する、ジェロータ装置。
【請求項２１】
ジェロータ装置であって、
第一の正面と、
前記第一の正面と対向する第二の正面と、
少なくとも部分的に第一の外側ジェロータ・チャンバを形成する第一の外側ジェロータと、
前記第一の外側ジェロータに固定され、少なくとも部分的に第二の外側ジェロータ・チャンバを形成する第二の外側ジェロータと、
少なくとも部分的に前記第一の外側ジェロータ内に配置された第一の内側ジェロータと、
少なくとも部分的に前記第二の外側ジェロータ内に配置された第二の内側ジェロータと、
前記第一の正面近くに設けられ、流体を前記第一の外側ジェロータ・チャンバに入れる、第一の流体取込ポートと、
前記第一の正面近くに設けられ、流体を前記第一の外側ジェロータ・チャンバから出す、第一の流体排出ポートと、
前記第二の正面近くに設けられ、流体を前記第二の外側ジェロータ・チャンバに入れる、第二の流体取込ポートと、
前記第二の正面近くに設けられ、流体を前記第二の外側ジェロータ・チャンバから出す、第二の流体排出ポートと、を有するジェロータ装置。
【請求項２２】
内側膨張機ジェロータと外側膨張機ジェロータとを有する膨張機と、
内側圧縮機ジェロータと外側圧縮機ジェロータとを有する圧縮機と、を有し、
前記内側圧縮機ジェロータは、前記外側圧縮機ジェロータに隣接する外面を有し、
前記外側圧縮機ジェロータは、前記内側圧縮機ジェロータに隣接する内面を有し、
前記内側圧縮機ジェロータの前記外面と前記外側圧縮機ジェロータの前記内面の少なくとも一方の少なくとも一部分は、低摩擦材料から作られる、エンジン・システム。
【請求項２３】
ハウジングと、
内側膨張機ジェロータと円形の外側膨張機ジェロータとを有する膨張機と、
内側圧縮機ジェロータと円形の外側圧縮機ジェロータとを有する圧縮機と、
前記外側膨張機ジェロータ及び前記圧縮機ジェロータに固定されると共に、前記ハウジングに回転可能に連結された、外側ジェロータ支持体と、を有し、
前記外側ジェロータ支持体の直径は、前記外側膨張機ジェロータの直径及び前記外側圧縮機ジェロータの直径よりも小さい、エンジン・システム。
【請求項２４】
ハウジングと、
膨張機と、
圧縮機と、
ジェロータと、を有し、
前記膨張機は、
少なくとも部分的に外側膨張機ジェロータ・チャンバを形成する外側膨張機ジェロータと、
少なくとも部分的に前記外側膨張機ジェロータ・チャンバ内に配置された内側膨張機ジェロータと、を有し、
前記圧縮機は、
少なくとも部分的に外側圧縮機ジェロータ・チャンバを形成する外側圧縮機ジェロータと、
少なくとも部分的に前記外側圧縮機ジェロータ・チャンバ内に配置された内側圧縮機ジェロータと、を有し、
前記ジェロータは、前記外側圧縮機ジェロータ・チャンバを出る圧縮気体の形でエネルギを生成するように構成される、システム。
【請求項２５】
ハウジングと、
少なくとも部分的に前記ハウジング内に配置されると共に、少なくとも部分的に外側ジェロータ・チャンバを形成する、回転可能な外側ジェロータと、
少なくとも部分的に前記外側ジェロータ・チャンバ内に配置された、回転可能な内側ジェロータと、
前記ハウジングと前記外側ジェロータとの間に形成されたシーリングと、を有し、
前記シーリングは、前記外側ジェロータ・チャンバと該外側膨張機ジェロータ・チャンバ外の領域との間での流体の出入りを制限するように構成される、ジェロータ装置。
【請求項２６】
ハウジングと、
少なくとも部分的に前記ハウジング内に配置されると共に、少なくとも部分的に外側ジェロータ・チャンバを形成する、回転可能な外側ジェロータと、
少なくとも部分的に前記外側ジェロータ・チャンバ内に配置された、回転可能な内側ジェロータと、を有し、
前記内側ジェロータは、前記外側ジェロータに隣接した外面を有し、
前記外側ジェロータは、前記内側ジェロータに隣接した内面を有し、
前記内側ジェロータの前記外面と前記外側ジェロータの前記内面との少なくとも一方の少なくとも一部は、低摩擦材料から形成され、
前記外側ジェロータ及び前記内側ジェロータは、協働して、前記外側ジェロータ・チャンバを通じて液体を汲み上げるように構成される、ジェロータ装置。
【請求項２７】
ハウジングと、
膨張機と、
圧縮機と、を有し、
前記膨張機は、
外側膨張機ジェロータ・チャンバを形成すると共に、少なくとも部分的に前記ハウジング内に配置された、外側膨張機ジェロータと、
少なくとも部分的に前記外側膨張機ジェロータ内に配置された内側膨張機ジェロータと、を有し、
前記圧縮機は、
外側圧縮機ジェロータ・チャンバを形成すると共に、少なくとも部分的に前記ハウジング内に配置され、前記外側膨張機ジェロータに固定された、外側圧縮機ジェロータと、
少なくとも部分的に前記外側圧縮機ジェロータ内に配置されると共に、前記外側膨張機ジェロータに固定された、内側圧縮機ジェロータと、を有し、
前記外側圧縮機ジェロータ及び前記外側膨張機ジェロータは、１以上のベアリングによって、前記ハウジングに回転可能に連結され、
前記内側圧縮機ジェロータ及び前記内側膨張機ジェロータは、前記内側圧縮機ジェロータの近くに配置された１以上のベアリングによって、前記ハウジングに回転可能に連結される、エンジン・システム。
【請求項２８】
回転可能な外側ジェロータと、
前記外側ジェロータに関連する位置合わせガイドと、
少なくとも部分的に前記外側ジェロータ内に配置された、回転可能な内側ジェロータと、
前記１以上のソケット内に取り付けられ、前記位置合わせガイドに沿って移動して前記外側ジェロータの回転を前記内側ジェロータの回転と同期させる、１以上の位置合わせ部材と、を有するジェロータ装置。
【請求項２９】
回転可能な外側ジェロータと、
前記外側ジェロータに関連する１以上のソケットと、
少なくとも部分的に前記外側ジェロータ内に配置された、回転可能な内側ジェロータと、
前記内側ジェロータと関連する位置合わせガイドと、
前記１以上のソケット内に取り付けられると共に、前記位置合わせガイドに沿って移動して前記外側ジェロータの回転を前記内側ジェロータの回転と同期させる、１以上の位置合わせ部材と、を有するジェロータ装置。
【請求項３０】
ハウジングと、
外側ジェロータと、
内側ジェロータと、
排出管と、を有し、
前記ハウジングの側壁には複数の開口部が形成され、
前記外側ジェロータは、前記ハウジング内に配置されると共に、前記ハウジングに対して回転可能に構成され、
前記外側ジェロータは、取込ポートと、内部チャンバとを有し、
前記内側ジェロータは、前記内部チャンバ内に配置されると共に、前記ハウジングの一端に回転可能に連結され、
前記排出管は、前記ハウジングの前記一端に固定され、
前記内側ジェロータは、複数の先端を有し、
前記複数の先端の各々は、前記排出管と連通した流路を有する、ジェロータ装置。
【請求項３１】
ハウジングと、
外側ジェロータと、
内側ジェロータと、
排出管と、を有し、
前記ハウジングの側壁には複数の開口部が形成され、
前記外側ジェロータは、前記ハウジング内に配置されると共に、前記ハウジングに対して回転可能に構成され、
前記外側ジェロータは、取込ポートと、内部チャンバとを有し、
前記内側ジェロータは、前記内部チャンバ内に配置されると共に、前記ハウジングの一端に回転可能に連結され、
前記排出管は、前記ハウジングの前記一端に固定され、
前記内側ジェロータは、一対の先端を有し、
前記一対の先端の各々は、前記排出管と連通した流路を有し、
前記排出管は、前記内側ジェロータ及び前記外側ジェロータが所定の位置にあるとき、前記一対の先端の各々の前記流路を遮断するように構成された突起部を有する、ジェロータ装置。
【請求項３２】
ハウジングと、
外側ジェロータと、
内側ジェロータと、
排出管と、
複数の逆止め弁と、を有し、
前記ハウジングの側壁には複数の開口部が形成され、
前記外側ジェロータは、前記ハウジング内に配置されると共に、前記ハウジングに対して回転可能に構成され、
前記外側ジェロータは、取込ポートと、内部チャンバとを有し、
前記内側ジェロータは、前記内部チャンバ内に配置されると共に、前記ハウジングの一端に回転可能に連結され、
前記排出管は、前記ハウジングの前記一端に固定され、
前記内側ジェロータは、複数の先端を有し、
前記複数の先端の各々は、前記排出管と連通した流路を有し、
前記複数の逆止め弁の各々は、前記複数の流路の各々にそれぞれ設けられる、ジェロータ装置。
【請求項３３】
ハウジングと、
外側ジェロータと、
内側ジェロータと、を有し、
前記ハウジングには、吸気ポートが形成され、
前記ハウジングの第一の端壁には排気ポートが形成され、
前記外側ジェロータは、ハウジング内に回転可能に連結され、
前記外側ジェロータは、取込ポートと、内部チャンバと、前記外側ジェロータのフェースプレートに形成された排出ポートとを有し、
前記内側ジェロータは、前記内部チャンバ内に配置されると共に、前記ハウジングの一端に回転可能に連結され、
前記外側ジェロータが回転しているとき、前記外側ジェロータの前記排出ポートは、断続的に、前記ハウジングの前記排気ポートと揃う、ことを特徴とするジェロータ装置。
【請求項３４】
静止した外側ジェロータと、
前記外側ジェロータに回転可能に連結された第一のシャフトと、
前記第一のシャフトに連結されたディスクと、
前記ディスクに連結された第二のシャフトと、
内側ジェロータと、を有し、
前記外側ジェロータは、少なくとも１つの取込ポートと、前記外側ジェロータの側壁に形成された少なくとも１つの排出ポートと、内部チャンバとを有し、
前記第二のシャフトは、前記第一のシャフトの回転軸からオフセットされており、
前記内側ジェロータは、前記内部チャンバ内に配置されると共に、本装置作動中に前記内側ジェロータが前記内部チャンバ内で回転及び軌道周回するように、前記第二のシャフトに回転可能に連結される、ことを特徴とするジェロータ装置。
【請求項３５】
圧縮機部分と、
膨張機部分と、
回転可能な中空シャフトと、
前記中空シャフトに連結されたディスクと、を有し、
前記圧縮機部分は、
内側圧縮機ジェロータと、
外側圧縮機ジェロータと、を有し、
前記膨張機部分は、
前記ハウジング内に配置されると共に、前記外側圧縮機ジェロータに固定された、セラミックス製の外側膨張機ジェロータと、
前記内側圧縮機ジェロータに固定されると共に、前記外側膨張機ジェロータ内に配置された、セラミックス製の内側膨張機ジェロータと、を有し、
前記中空シャフトは、前記内側膨張機ジェロータに連結されると共に、主流路を備え、
前記ディスクは、複数の従流路を備え、
前記複数の従流路は、システム作動中に前記主流路及び前記従流路を通って吸い込まれた空気が、遠心力によって、前記外側膨張機ジェロータへ向けて流されるように、前記中空シャフトの前記主流路と連通される、エンジン・システム。
【請求項３６】
圧縮機部分と、
膨張機部分と、を有し、
前記圧縮機部分は、
内側圧縮機ジェロータと、
外側圧縮機ジェロータと、を有し、
前記膨張機部分は、
孔開けされたハウジングと、
前記ハウジング内に配置されると共に、前記外側圧縮機ジェロータに固定されたヒートシンクと、
セラミックス製の外側膨張機ジェロータと、
前記内側圧縮機ジェロータに固定されると共に、前記外側膨張機ジェロータ内に配置された、セラミックス製の内側膨張機ジェロータと、を有し、
前記外側膨張機ジェロータの上部は、断片化されていると共に、前記ヒートシンクに固定されている、エンジン・システム。
【請求項３７】
圧縮機部分と、
膨張機部分と、を有し、
前記圧縮機部分は、
内側圧縮機ジェロータと、
外側圧縮機ジェロータと、を有し、
前記膨張機部分は、
孔開けされたハウジングと、
前記ハウジング内に配置されると共に、前記外側圧縮機ジェロータに固定されたバネカップと、
前記バネカップの外側に連結されたヒートシンクと、
セラミックス製の外側膨張機ジェロータと、
前記内側圧縮機ジェロータに固定されると共に、前記外側膨張機ジェロータ内に配置された、セラミックス製の内側膨張機ジェロータと、を有し、
前記バネカップは、複数の縦方向の指を有し、
前記複数の縦方向の指の各々の一端には半径方向の延びる突起が設けられ、
前記外側膨張機ジェロータの上部は、前記バネカップの前記半径方向突起と係合するように構成された円周溝を有する、エンジン・システム。
【請求項３８】
上面吸排気ジェロータであって、
前記ジェロータの壁の周囲に間隔を空けて円周上に配置された複数の開口部と、
前記壁を支持する手段と、を有することを特徴とする上面吸排気ジェロータ。
【請求項３９】
正面吸排気ジェロータ装置であって、
上部弁板と下部弁板とを有するハウジングと、
前記ハウジング内に配置されると共に、前記ハウジングに対して回転可能に構成された外側ジェロータと、
前記外側ジェロータ内に配置されると共に、前記ハウジングの一端に連結された剛体シャフトに回転可能に連結された内側ジェロータと、を有し、
前記外側ジェロータの上端及び下端には複数の溝が形成される、ことを特徴とする正面吸排気ジェロータ装置。
【請求項４０】
複数の外側ジェロータ先端を備えた外側ジェロータと、
前記外側ジェロータ内に配置され、複数の内側ジェロータ先端を備えた内側ジェロータと、を有し、
前記外側ジェロータ先端の各々の一部分は、前記内側ジェロータの熱膨張が許容されるように、取り除かれる、ジェロータ装置。
【請求項４１】
下部弁板を有するハウジングと、
前記ハウジング内に配置されると共に、前記ハウジングに対して回転可能に構成された外側ジェロータと、
前記外側ジェロータ内に配置されると共に、前記ハウジングの一端に連結された剛体シャフトに回転可能に連結された内側ジェロータと、
前記内側ジェロータの前記外側ジェロータに対する回転を制御するように構成された同期システムと、を有し、
前記外側ジェロータの下端には複数の溝が形成される、ジェロータ装置。
【請求項４２】
ブレイトン・サイクル・エンジンのパワーを上げる方法であって、
圧縮機、熱交換機、燃焼室、及び、膨張機を直列に並べる工程と、
液体水を前記燃焼室へ供給する工程と、
前記液体水を蒸発させるための追加燃料を前記燃焼室へ供給する工程と、を有することを特徴とする方法。